【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
実質的に平行に隣接して延在する少なくとも２つのケーブル（１０、２０）の構成であり、第１ケーブル（１０）と第２ケーブル（２０）とが各々、撚り合わされた２つの導体（３２）を有する少なくとも１つのストランド群（１１、２１）を有し、前記ストランド群（１１、２１）の各々の撚り長さが、前記ケーブル（１０、２０）の長手方向において変化し、前記第１ケーブル（１０）の前記ストランド群（１１）の少なくとも１つのストランド群巻線（１４）の撚り長さが、前記第２ケーブル（２０）の前記ストランド群（２１）の隣接するストランド群巻線（２４）の撚り長さから、１０％超の割合で異なり、前記ストランド群（１１、２１）の撚り長さが、最小撚り長さと最大撚り長さとの間で変化する構成であって、最小撚り長さを持つストランド群の２つの隣接するストランド部分間の距離は、ストランド長さ（Ｘ）を規定し、ストランド群の前記ストランド長さ（Ｘ）は、前記ケーブルの長手方向（Ｌ）において周期的に変化することを特徴とする構成。
【請求項２】
前記第１ケーブル（１０）の前記ストランド群（１１）の少なくとも１つのストランド群巻線（１４）の撚り長さは、前記第２ケーブル（２０）の前記ストランド群（２１）の隣接するストランド群巻線（２４）の撚り長さから、２０％超の割合で異なることを特徴とする請求項１に記載の構成。
【請求項３】
前記第１ケーブル（１０）の前記ストランド群（１１）の少なくとも１つのストランド群巻線（１４）の撚り長さは、前記第２ケーブル（２０）の前記ストランド群（２１）の隣接するストランド群巻線（２４）の撚り長さから、５０％超の割合で異なることを特徴とする請求項２に記載の構成。
【請求項４】
前記ストランド群（１１、２１）は各々、撚り合わされた導体ペア（１２、２２）からなることを特徴とする請求項１から３のいずれか一項に記載の構成。
【請求項５】
前記ケーブル（１０、２０）はいずれの場合にも、ツイストペアケーブルであることを特徴とする請求項４に記載の構成。
【請求項６】
前記ストランド群（１１、２１）はいずれの場合にも、撚り合わされた４つの導体からなることを特徴とする請求項１から３のいずれか一項に記載の構成。
【請求項７】
前記ケーブルはいずれの場合にも、カッドストランドを持つ星型カッドケーブルであることを特徴とする請求項６に記載の構成。
【請求項８】
各ストランド群は、差動信号を伝送するための少なくとも１つの導体ペア（１２、２２）を有することを特徴とする請求項１から７のいずれか一項に記載の構成。
【請求項９】
各ケーブル（１０、２０）は、厳密に１つのストランド群を有することを特徴とする請求項１から８のいずれか一項に記載の構成。
【請求項１０】
前記ストランド群（１１、２１）の撚り長さはいずれの場合にも、周期的に及び／又は波形状に変化することを特徴とする請求項１から９のいずれか一項に記載の構成。
【請求項１１】
前記ストランド群（１１、２１）の撚り長さはいずれの場合にも、正弦波的に変化することを特徴とする請求項１０に記載の構成。
【請求項１２】
前記最小撚り長さは、５ｍｍ超且つ２０ｍｍ未満であり、それに対して前記最大撚り長さは、１５ｍｍ超且つ５０ｍｍ未満であることを特徴とする請求項１から１１のいずれか一項に記載の構成。
【請求項１３】
前記最小撚り長さは、１０ｍｍ超且つ１５ｍｍ未満であり、それに対して前記最大撚り長さは、２２ｍｍ超且つ２８ｍｍ未満であることを特徴とする請求項１２に記載の構成。
【請求項１４】
前記ストランド長さ（Ｘ）は、０．５ｍ超且つ１０ｍ未満であることを特徴とする請求項１から１３のいずれか一項に記載の構成。
【請求項１５】
前記ストランド長さ（Ｘ）は、２ｍ超且つ５ｍ未満であることを特徴とする請求項１４に記載の構成。
【請求項１６】
ストランド群の前記ストランド長さ（Ｘ）は、前記ケーブルの長手方向（Ｌ）において正弦波的に変化することを特徴とする請求項１から１５のいずれか一項に記載の構成。
【請求項１７】
前記少なくとも２つのケーブル（１０、２０）は、分かれた個別のケーブルであることを特徴とする請求項１から１６のいずれか一項に記載の構成。
【請求項１８】
前記少なくとも２つのケーブル（１０、２０）は、互いから距離を置いて配置されることを特徴とする請求項１から１７のいずれか一項に記載の構成。
【請求項１９】
各ケーブル（１０、２０）は、その外部に、撚り長さ、撚り長さパターン及び／又はケーブルの内部における最大撚り長さ又は最小撚り長さの位置を標示する少なくとも１つの印（７０）があることを特徴とする請求項１から１８のいずれか一項に記載の構成。
【請求項２０】
前記第１ケーブル（１０）の印は、前記ケーブルの長手方向（Ｌ）において前記第２ケーブル（２０）の印からずれていることを特徴とする請求項１９に記載の構成。
【請求項２１】
少なくとも１つのケーブルは、その外部に、それぞれのストランド長さ（Ｘ）に対応する間隔で印があることを特徴とする請求項１から２０のいずれか一項に記載の構成。
【請求項２２】
実質的に平行に隣接して延在する少なくとも２つのケーブル（１０、２０）の構成であり、第１ケーブル（１０）と第２ケーブル（２０）とが各々、撚り合わされた２つの導体（３２）を有する少なくとも１つのストランド群（１１、２１）を有し、前記ストランド群（１１、２１）の各々の撚り長さが、前記ケーブル（１０、２０）の長手方向において変化し、前記第１ケーブル（１０）の前記ストランド群（１１）の少なくとも１つのストランド群巻線（１４）の撚り長さが、前記第２ケーブル（２０）の前記ストランド群（２１）の隣接するストランド群巻線（２４）の撚り長さから、１０％超の割合で異なり、前記ストランド群（１１、２１）の撚り長さが、最小撚り長さと最大撚り長さとの間で変化する構成であって、最小撚り長さを持つストランド群の２つの隣接するストランド部分間の距離は、ストランド長さ（Ｘ）を規定し、ストランド群の前記ストランド長さ（Ｘ）は、最大ストランド長さと最小ストランド長さとの間で前記ケーブルの長手方向（Ｌ）において統計的に変化することを特徴とする構成。
【請求項２３】
請求項１から２２のいずれか一項に記載の構成を製造する方法であって、２つ以上の撚り合わされた導体（３２）を備える少なくとも１つのストランド群を備えて未加工ケーブルが製造され、前記ストランド群の撚り長さは最小撚り長さと最大撚り長さとの間で前記ケーブル（１０、２０）の長手方向において変化し、最小撚り長さを持つストランド群の２つの隣接するストランド部分間の距離はストランド長さ（Ｘ）を規定し、ストランド群の前記ストランド長さ（Ｘ）は前記ケーブルの長手方向（Ｌ）において周期的に変化し、
少なくとも１つの第１ケーブルと少なくとも１つの第２ケーブルとが作製されるように、前記未加工ケーブルが切断され、
前記第１ケーブル（１０）のストランド群巻線の撚り長さが、その隣に配置された前記第２ケーブル（２０）のストランド群巻線の撚り長さから、１０％超の割合で異なるように、前記２つのケーブルが互いに隣接して配置されることを特徴とする方法。
【請求項２４】
前記未加工ケーブルの内部における撚り長さのパターンに応じて、前記未加工ケーブルの外側に印（７０）を施すステップを特徴とする請求項２３に記載の方法。
【請求項２５】
前記２つのケーブルの配置を包含するステップ中に、前記第１ケーブルの印が前記第２ケーブルの印に対してずれて設置されることを特徴とする請求項２４に記載の方法。